(57)【特許請求の範囲】
【請求項１】
４つの壁部を有する固定子枠及び前記固定子枠の対向する壁部の内側面の対向部にそれぞれ突設された磁極を有する固定子と、前記固定子枠の端面及び磁極の端面を覆う絶縁部材と、前記絶縁部材を介して前記磁極に捲回された固定子巻線と、前記固定子枠の前記磁極が設けられた壁部に隣接する壁部の端面に脚部が固定された金属製のフレームと、前記磁極間に配設された回転子と、前記回転子と一体に設けられ且つ前記フレームに回転自在に保持された回転子軸を備える電動機であって、前記絶縁部材は、４つの辺を前記固定子枠の端面に当接させた絶縁板部と、前記４つの辺のうち前記磁極の端面に当接させた辺の一面側に起立させられた第１の絶縁壁と、前記磁極の端面に当接させた辺に隣接する辺の内縁に沿って一面側に起立させられた第２の絶縁壁を有することを特徴とする電動機。
【請求項２】
前記４つの辺のうち前記磁極の端面に当接させた辺がそれぞれ２つの分割辺に分割され、前記第１の絶縁壁は前記２つの分割辺に跨って設けられ、前記磁極の端面に当接させた辺に隣接する辺の内縁に沿って他面側に起立する第３の絶縁壁が設けられ、前記第３の絶縁壁の両端部に前記磁極の側面に当接させる折返部が設けられていることを特徴とする請求項１に記載の電動機。
【発明の詳細な説明】
【０００１】
【産業上の利用分野】
この発明は、例えば電気掃除機の電動送風機等に用いる電動機に関するものである。
【０００２】
【従来の技術】
電気掃除機等に用いられる電動送風機としては、例えば図１８に示した様な送風部（送風ファン）１及び電動機（モータ）２を備えるものが考えられている。
【０００３】
この電動機２は、固定子（ステータ）３と、図１９の如く固定子３の磁極３ａ，３ｂに捲回された固定子巻線（ステータコイル）４、４′と、一対の脚部５ａ，５ａ及び６ａ，６ａが固定子３の両端面３ｃ，３ｄに固定されたＵ字状の金属製のフレーム５，６と、フレーム５，６に回転自在に保持された回転子軸７と、磁極３ａ，３ｂ間に配設され且つ回転子軸７と一体に設けられた回転子８と、回転子軸７に一体に設けられた整流子（コミュンテータ）９と、フレーム６に保持され且つ整流子９に図示しないバネの付勢力で当接するカーボンブラシ１０を有する。
【０００４】
また、フレーム５に送風部１の整流板１１が固定され、回転子軸７に送風部１の遠心ファン１２が取り付けられている。１３は遠心ファン１２を覆うと共に整流板１１に嵌着されたァンカバーである。
【０００５】
この様な構成においては、電動機１を作動させて回転子軸７を回転駆動させることにより、遠心ファン１２が回転する。この回転により、エアがファンカバー１３のエア吸込口１３ａから遠心ファン１２内に矢印１４の如く吸入される。そして、この吸入されたエアは、遠心ファン１２の周縁から吐出されて、図１９に示した整流板１１の周縁の開口１１ａから整流板１１の下方に案内された後、電動機２の各部を冷却するようになっている。
【０００６】
【発明が解決しようとする課題】
ところで、上述した構成では、固定子巻線４，４′とフレーム５の脚部５ａ，５ａとの間に所定の絶縁距離を設けて、固定子巻線４，４′とフレーム５の脚部５ａ，５ａとを絶縁している。そして、磁極３ａ，３ｂに巻線して固定子巻線４，４′形成する際に、絶縁距離に注意を払う必要がある。
【０００７】
しかし、この様な巻線により形成された固定子巻線４，４′とフレーム５の脚部５ａ，５ａとの間隔が必要な絶縁距離とならない場合には、固定子巻線を整形して絶縁距離を確保する必要があり、製造に手数を要するものであった。また、この様な整形をしない場合には、固定子巻線４，４′とフレーム５の脚部５ａ，５ａとの間に別途絶縁部材を配設することも考えられるが、この場合にも手数を要するものである。
【０００８】
そこで、この発明は、手数を要せずに固定子巻線とフレームの脚部との間の絶縁を簡易に行うことができる電動機を提供することを目的とするものである。
【０００９】
【課題を解決するための手段】
この目的を達成するため、請求項１の発明は、４つの壁部を有する固定子枠及び前記固定子枠の対向する壁部の内側面の対向部にそれぞれ突設された磁極を有する固定子と、前記固定子枠の端面及び磁極の端面を覆う絶縁部材と、前記絶縁部材を介して前記磁極に捲回された固定子巻線と、前記固定子枠の前記磁極が設けられた壁部に隣接する壁部の端面に脚部が固定された金属製のフレームと、前記磁極間に配設された回転子と、前記回転子と一体に設けられ且つ前記フレームに回転自在に保持された回転子軸を備える電動機であって、前記絶縁部材は、４つの辺を前記固定子枠の端面に当接させた絶縁板部と、前記４つの辺のうち前記磁極の端面に当接させた辺の一面側に起立させられた第１の絶縁壁と、前記磁極の端面に当接させた辺に隣接する辺の内縁に沿って一面側に起立させられた第２の絶縁壁を有する電動機としたことを特徴とする。
【００１０】
また、請求項２の発明は、前記４つの辺のうち前記磁極の端面に当接させた辺がそれぞれ２つの分割辺に分割され、前記第１の絶縁壁は前記２つの分割辺に跨って設けられ、前記磁極の端面に当接させた辺に隣接する辺の内縁に沿って他面側に起立する第３の絶縁壁が設けられ、前記第３の絶縁壁の両端部に前記磁極の側面に当接させる折返部が設けられていることを特徴とする。
【００１２】
【発明の実施の形態】
以下、この発明の実施の形態を図１〜図１６に基づいて説明する。
【００１３】
図１，図２に於いて、２０は電気掃除機用電動送風機の送風部（送風ファン）、３０は送風部２０を駆動させる電動部としての電動機（モータ）である。
【００１４】
図１に於いて、送風部２０は、図１８に示した整流板１１と同じ形状の整流板２１と、整流板２１の周面に筒部２２ａが嵌着されたファンカバー２２と、このファンカバー２２の端壁２２ｂと整流板２１との間に配設された遠心ファン２３を有する。遠心ファン２３は、円形のプレート２４，２５と、このプレート２４，２５間に半径方向に向けて配設され且つ周方向に等ピッチで配設された複数のファンブレード２６を有する。このファンブレード２６は、プレート２４，２５間を複数の放射状通路２７に区画している。２２ｃは端壁中央に設けられたカバー側吸込口、２４ａは本体側吸込口である。尚、２１ａは図１８に示した整流板１１の開口１１ａに対応する開口である。尚、整流板２１には周知の構造が採用されている。
【００１５】
電動機３０は、固定子（ステータ）３１、合成樹脂製の絶縁部材３２，３３、固定子巻線（ステータコイル）３４，３４′、金属製のフレーム３５，３６、回転子軸（ロータシャフト）３７、回転子（ロータ）３８、整流子（コミュンテータ）３９、一対のカーボンブラシ４０を有する。
【００１６】
固定子３１は、図３，図８に示した様に４つの壁部４１ａ，４１ｂ，４１ｃ，４１ｄを有する固定子枠４１と、固定子枠４１の対向する壁部４１ａ，４１ｃに突設された磁極４２，４２′を有する。この磁極４２，４２′の先端面４２ａ，４２ａ′は平面形状が円弧状に形成されている。ａは固定子３１の一端面である。この端面ａは固定子枠４１の一端面ａ１と、磁極４２，４２′の一端面ａ２，ａ２′からなり、端面ａ１，ａ２，ａ２′は同一平面となっている。同様に、固定子３１の他端面ｂも構成されているが、その詳細な図示は省略している。
【００１７】
また、壁部４１ｂ，４１ｄの中央部には、固定子枠４１の両端面ａ１，（他方図示せず）に開口するボルト挿通孔４３，４４が形成されている。
【００１８】
絶縁部材３２は、図４，図５に示したように固定子枠４１の一端面ａに当接させる絶縁板部３２ａを有する（図６〜図８参照）。この絶縁板部３２ａは、４つの辺４５，４６，４７，４８を有すると共に、辺４５，４７の中央部から内側にそれぞれ突出する突出板部４９，５０を有する。この突出板部４９，５０は磁極４２，４２′の一端面ａ２，ａ２′の形状に形成されている。しかも、辺４５及び突出板部４９は、スリットＳ１で分割辺４５ａ，４５ｂ及び分割板部４９ａ，４９ｂに分割されている。また、同様に辺４７及び突出板部５０は、スリットＳ２で分割辺４７ａ，４７ｂ及び分割板部５０ａ，５０ｂに分割されている。尚、４６ａ，４８ａは、外方に向けて辺４６，４８の中央に設けられた切欠である。
【００１９】
また、絶縁部材３２は、分割板部４９ａ，４９ｂ間に跨って一面に起立し且つ分割板部４９ａ，４９ｂの先端部に沿って円弧状に延びる絶縁壁５１と、分割板部５０ａ，５０ｂ間に跨って一面に起立し且つ分割板部５０ａ，５０ｂの先端部に沿って円弧状に延びる絶縁壁５２を有する。
【００２０】
更に、絶縁部材３２は、辺４６，分割辺４５ａ，４７ａ，分割板部４９ａ，５０ａの内側面に沿って他面側に起立する絶縁板部５３と、辺４８，分割辺４５ｂ，４７ｂ，分割板部４９ｂ，５０ｂの内側面に沿って他面側に起立する絶縁板部５３′を有すると共に、辺４６，４８の内縁に沿って一面側に起立する絶縁壁５４，５４′を有する。５３ａ，５３ｂは、絶縁板部５３の両端部に設けられ且つ分割板部４９ａ，５０ａに沿う折返部である。５３ａ′，５３ｂ′は、絶縁板部５３′の両端部に設けられ且つ分割板部４９ｂ，５０ｂに沿う折返部である。
【００２１】
絶縁部材３３は、図８に示したように絶縁部材３２の絶縁壁５３，５３′、５４，５４′が無いだけで、他の構造が絶縁部材３２と略同じであるので、同じ部分には絶縁部材３２と同一の符号を付して説明を省略する。
【００２２】
この絶縁部材３２の絶縁壁５３は、壁部４１ｂに沿って固定子枠４１内に挿入されていると共に、折返部５３ａ，５３ｂが磁極４２，４２′の壁部４１ｂ側の側面に当接させられている。一方、絶縁部材３２の絶縁壁５３′は、壁部４１ｄに沿って固定子枠４１内に挿入されていると共に、折返部５３ａ′、５３ｂ′が磁極４２，４２′の壁部４１ｄ側の側面に当接させられている。
【００２３】
尚、スリットＳ１，Ｓ２は、磁極４２，４２′を跨ぐように、絶縁壁５３，５３′の両端部を磁極４２，４２′の両側に配設する際、絶縁壁５３，５３′を僅かに開くことができるようにしている。
【００２４】
しかも、絶縁部材３２の絶縁板部３２ａは、突出板部４９，５０を磁極４２，４２′の端面ａ２，ａ２′に対応させた状態で、固定子３１の一端面ａに当接させられている。また、絶縁部材３３の絶縁板部３２ａも、固定子３１の他端面ｂに絶縁部材３２の絶縁板部３２ａと同様に当接させられている。
【００２５】
そして、磁極４２には固定子巻線３４が突出板部４９及び折返部５３ａ、５３ａ′を介して捲回され、磁極４２′には固定子巻線３４′が突出板部５０及び折返部５３ｂ、５３ｂ′を介して捲回されている。
【００２６】
上述のフレーム３５は、図９〜図１１に示したように、Ｌ字状の脚部３５ａ，３５ｂと、脚部３５ａ，３５ｂを連接している連接部３５ｃと、連接部３５ｃの中央に設けた筒状部３５ｄを有する。また、フレーム３６は、図１５，図１６に示したように、Ｌ字状の脚部３６ａ，３６ｂと、脚部３６ａ，３６ｂを連接している連接部３６ｃと、連接部３６ｃの中央に設けた筒状部３６ｄと、脚部３６ａ，３６ｂに対応して連接部３６ｃに設けられたブラシ保持部３６ｅ，３６ｆを有する。
【００２７】
フレーム３５の脚部３５ａ，３５ｂは切欠４６ａ，４８ａを介して固定子枠４１の一端面ａに当接させられ、フレーム３６の脚部３６ａ，３６ｂは固定子枠４１の他端面ｂに当接させられている。しかも、脚部３６ａ及びボルト挿通孔４３を貫通するボルト５５が脚部３５ａに螺着され、脚部３６ｂ及びボルト挿通孔４４を貫通するボルト５６が脚部３５ｂに螺着されて、フレーム３５，３６が固定子枠４１に固定されている。この状態では、絶縁壁５４が固定子巻線３４と脚部３５ａとの間の絶縁をし、絶縁壁５４′が固定子巻線３４′と脚部３５ｂとの間の絶縁をする。この絶縁壁５４，５４′の高さは、少なくとも固定子巻線３４，３４′の高さと略同じに設定されている。尚、絶縁壁５４，５４′は、図１７に示したように、各固定子巻線３４，３４′に対応して分割絶縁壁５４ａ，５４ｂ，５４ａ′，５４ｂ′に分割して、材料の節約を図っても良い。
【００２８】
尚、回転子３８は磁極４２，４２′間に配設され、回転子軸３７はフレーム３５，３６の筒部３５ｄ，３６ｄに軸受５７，５８を介して回転自在に保持され、カーボンブラシ４０，４０はフレーム３６のブラシ保持部３６ｅ，３６ｆに保持されている。
【００２９】
【発明の効果】
以上説明したように、請求項１の発明は、４つの壁部を有する固定子枠及び前記固定子枠の対向する壁部の内側面の対向部にそれぞれ突設された磁極を有する固定子と、前記固定子枠の端面及び磁極の端面を覆う絶縁部材と、前記絶縁部材を介して前記磁極に捲回された固定子巻線と、前記固定子枠の前記磁極が設けられた壁部に隣接する壁部の端面に脚部が固定された金属製のフレームと、前記磁極間に配設された回転子と、前記回転子と一体に設けられ且つ前記フレームに回転自在に保持された回転子軸を備える電動機であって、前記絶縁部材は、４つの辺を前記固定子枠の端面に当接させた絶縁板部と、前記４つの辺のうち前記磁極の端面に当接させた辺の一面側に起立させられた第１の絶縁壁と、前記磁極の端面に当接させた辺に隣接する辺の内縁に沿って一面側に起立させられた第２の絶縁壁を有する構成としたので、手数を要せずに固定子巻線とフレームの脚部との間の絶縁を簡易に行うことができる。
【００３０】
また、請求項２の発明は、前記４つの辺のうち前記磁極の端面に当接させた辺がそれぞれ２つの分割辺に分割され、前記第１の絶縁壁は前記２つの分割辺に跨って設けられ、前記磁極の端面に当接させた辺に隣接する辺の内縁に沿って他面側に起立する第３の絶縁壁が設けられ、前記第３の絶縁壁の両端部に前記磁極の側面に当接させる折返部が設けられている構成としたので、絶縁部材の材料の節約を図ることができる。
【図面の簡単な説明】
【図１】この発明に係る電動機を備える電動送風機の半断面図である。
【図２】図１に示した電動送風機の底面図である。
【図３】図１に示した電動機の要部斜視図である。
【図４】図１に示した絶縁壁を備える絶縁部材の平面図である。
【図５】図４の絶縁部材の底面図である。
【図６】図４の絶縁部材を矢印Ａ方向から見た側面図である。
【図７】図４のＢ−Ｂ線に沿う断面図である。
【図８】図１に示した固定子と絶縁部材との関係を示す分解斜視図である。
【図９】図１に示したフレームの一方を示す半断面図である。
【図１０】図９に示したフレームの底面図である。
【図１１】図９のフレームの右側面図である。
【図１２】図１に示した固定子巻線と固定子との関係を示す平面図である。
【図１３】図１２を矢印Ｃ方向から見た側面図である。
【図１４】図１３の底面図である。
【図１５】図１に示したフレームの他方を示す説明図である。
【図１６】図１５のＤ−Ｄ線に沿う断面図である。
【図１７】この発明に係る電動機の他の実施例を示す要部斜視図である。
【図１８】従来の電動送風機の半断面図である。
【図１９】図１９の一部を取り出して示した要部分解斜視図である。
【符号の説明】
３０・・・電動機
３１・・・固定子
３２・・・絶縁部材
３４，３４′・・・固定子巻線
３５・・・フレーム
３７・・・回転子軸
３８・・・回転子
４１・・・固定子枠
４２，４２′・・・磁極
５４，５４′・・・絶縁壁
５４ａ，５４ｂ，５４ａ′，５４ｂ′・・・分割絶縁壁
ａ１，ａ２，ａ２′・・・端面
【図１】
0003669545.tif 000002
【図２】
0003669545.tif 000003
【図３】
0003669545.tif 000004
【図４】
0003669545.tif 000005
【図５】
0003669545.tif 000006
【図６】
0003669545.tif 000007
【図７】
0003669545.tif 000008
【図８】
0003669545.tif 000009
【図９】
0003669545.tif 000010
【図１０】
0003669545.tif 000011
【図１１】
0003669545.tif 000012
【図１２】
0003669545.tif 000013
【図１３】
0003669545.tif 000014
【図１４】
0003669545.tif 000015
【図１５】
0003669545.tif 000016
【図１６】
0003669545.tif 000017
【図１７】
0003669545.tif 000018
【図１８】
0003669545.tif 000019
【図１９】
0003669545.tif 000020